【手続補正書】
【提出日】平成25年6月10日(2013.6.10)
【手続補正１】
【補正対象書類名】特許請求の範囲
【補正対象項目名】全文
【補正方法】変更
【補正の内容】
【特許請求の範囲】
【請求項１】
ユーザ識別情報と複数のユーザ情報とを対応付けて管理することが可能なユーザ情報管理装置と画像形成装置と通信可能に接続される認証システムであって、
前記画像形成装置は、
当該画像形成装置へログインするために、ユーザ識別情報の入力を受け付ける入力受付手段と、
前記入力受付手段で受け付けたユーザ識別情報を前記ユーザ情報管理装置に送信する第１の送信手段と、
前記第１の送信手段によって送信したユーザ識別情報に対応するユーザ情報を含む認証結果を前記ユーザ情報管理装置から受信する第１の受信手段と、
前記第１の受信手段で受信した認証結果により、前記ユーザ識別情報に対応する前記ユーザ情報が１つの場合には、当該ユーザ情報を用いてログインし、一方、前記ユーザ識別情報に対応する前記ユーザ情報が複数ある場合には、該複数のユーザ情報を表示することで操作者により選択された１つのユーザ情報を用いてログインするログイン手段と
を備え、
前記ユーザ情報管理装置は、
前記画像形成装置から前記ユーザ識別情報を受信する第２の受信手段と、
前記第２の受信手段により受信した前記ユーザ識別情報を認証する認証手段と、
前記ユーザ識別情報に対応するユーザ情報を含む認証結果を前記画像形成装置に送信する第２の送信手段と
を備えることを特徴とする認証システム。
【請求項２】
前記画像形成装置は、
前記複数のユーザ情報からログインするユーザ情報を選択可能に表示する表示手段を更に備えることを特徴とする請求項１に記載の認証システム。
【請求項３】
前記画像形成装置は、
前記ユーザ情報が複数あるか否かを判定する判定手段を更に備え、
前記表示手段は、前記判定手段でユーザ情報が複数あると判定された場合には、前記複数のユーザ情報を選択可能に表示し、
前記ログイン手段は、前記表示手段で表示した複数のユーザ情報から選択されたユーザ情報を用いてログインすることを特徴とする請求項２に記載の認証システム。
【請求項４】
ログインしたユーザ情報の変更指示がされたか否かを判定する変更判定手段を備え、
前記表示手段は、前記変更判定手段で変更指示がされたと判定された場合に、前記複数のユーザ情報を再度選択可能に表示することを特徴とする請求項２または３に記載の認証システム。
【請求項５】
前記ユーザ情報は、ユーザ名又はメールアドレス又は費用コードであることを特徴とする請求項１乃至４のいずれか１項に記載の認証システム。
【請求項６】
前記画像形成装置は、
記憶媒体を読み取る読取手段を更に備え、
前記第１の送信手段は、読取手段によって読取られた記憶媒体の情報を送信し、
前記第１の受信手段は、前記記憶媒体の情報に対応するユーザ情報を含む認証結果を受信し、
前記ログイン手段は、前記記憶媒体による認証が成功した場合には、前記認証結果に含まれるユーザ情報を用いてログインし、
ユーザ情報管理装置は、
前記第２の受信手段は、前記記憶媒体の情報を受信し、
前記認証手段は、前記記憶媒体の情報を用いて認証し、
前記第２の送信手段は、前記記憶媒体の情報に対応するユーザ情報を含む認証結果を送信することを特徴とする請求項１乃至５のいずれか１項に記載の認証システム。
【請求項７】
前記ユーザ情報管理装置と前記画像形成装置は別筐体で構成されることを特徴とする請求項１乃至６のいずれか１項に記載の認証システム。
【請求項８】
ユーザ識別情報と複数のユーザ情報とを対応付けて管理することが可能なユーザ情報管理装置と通信可能に接続される画像形成装置であって、
当該画像形成装置へログインするために、ユーザ識別情報の入力を受け付ける入力受付手段と、
前記入力受付手段で受け付けたユーザ識別情報を前記ユーザ情報管理装置に送信する第１の送信手段と、
前記第１の送信手段によって送信したユーザ識別情報に対応するユーザ情報を含む認証結果を前記ユーザ情報管理装置から受信する第１の受信手段と、
前記第１の受信手段で受信した認証結果により、前記ユーザ識別情報に対応する前記ユーザ情報が１つの場合には、当該ユーザ情報を用いてログインし、一方、前記ユーザ識別情報に対応する前記ユーザ情報が複数ある場合には、該複数のユーザ情報を表示することで操作者により選択された１つのユーザ情報を用いてログインするログイン手段と
を備えることを特徴とする画像形成装置。
【請求項９】
ユーザ識別情報と複数のユーザ情報とを対応付けて管理することが可能なユーザ情報管理装置と画像形成装置と通信可能に接続される認証システムの処理方法であって、
前記画像形成装置が、
当該画像形成装置へログインするために、ユーザ識別情報の入力を受け付ける入力受付ステップと、
前記入力受付ステップで受け付けたユーザ識別情報を前記ユーザ情報管理装置に送信する第１の送信ステップと、
前記第１の送信ステップによって送信したユーザ識別情報に対応するユーザ情報を含む認証結果を前記ユーザ情報管理装置から受信する第１の受信ステップと、
前記第１の受信ステップで受信した認証結果により、前記ユーザ識別情報に対応する前記ユーザ情報が１つの場合には、当該ユーザ情報を用いてログインし、一方、前記ユーザ識別情報に対応する前記ユーザ情報が複数ある場合には、該複数のユーザ情報を表示することで操作者により選択された１つのユーザ情報を用いてログインするログインステップと
を実行し、
前記ユーザ情報管理装置が、
前記画像形成装置から前記ユーザ識別情報を受信する第２の受信ステップと、
前記第２の受信ステップにより受信した前記ユーザ識別情報を認証する認証ステップと、
前記ユーザ識別情報に対応するユーザ情報を含む認証結果を前記画像形成装置に送信する第２の送信ステップと
を実行することを特徴とする処理方法。
【請求項１０】
ユーザ識別情報と複数のユーザ情報とを対応付けて管理することが可能なユーザ情報管理装置と通信可能に接続される画像形成装置の処理であって、
前記画像形成装置が、
当該画像形成装置へログインするために、ユーザ識別情報の入力を受け付ける入力受付ステップと、
前記入力受付ステップで受け付けたユーザ識別情報を前記ユーザ情報管理装置に送信する第１の送信ステップと、
前記第１の送信ステップによって送信したユーザ識別情報に対応するユーザ情報を含む認証結果を前記ユーザ情報管理装置から受信する第１の受信ステップと、
前記第１の受信ステップで受信した認証結果により、前記ユーザ識別情報に対応する前記ユーザ情報が１つの場合には、当該ユーザ情報を用いてログインし、一方、前記ユーザ識別情報に対応する前記ユーザ情報が複数ある場合には、該複数のユーザ情報を表示することで操作者により選択された１つのユーザ情報を用いてログインするログインステップと
を実行することを特徴とする処理方法。
【請求項１１】
ユーザ識別情報と複数のユーザ情報とを対応付けて管理することが可能なユーザ情報管理装置と画像形成装置と通信可能に接続される認証システムにおけるプログラムであって、
前記画像形成装置を、
当該画像形成装置へログインするために、ユーザ識別情報の入力を受け付ける入力受付手段と、
前記入力受付手段で受け付けたユーザ識別情報を前記ユーザ情報管理装置に送信する第１の送信手段と、
前記第１の送信手段によって送信したユーザ識別情報に対応するユーザ情報を含む認証結果を前記ユーザ情報管理装置から受信する第１の受信手段と、
前記第１の受信手段で受信した認証結果により、前記ユーザ識別情報に対応する前記ユーザ情報が１つの場合には、当該ユーザ情報を用いてログインし、一方、前記ユーザ識別情報に対応する前記ユーザ情報が複数ある場合には、該複数のユーザ情報を表示することで操作者により選択された１つのユーザ情報を用いてログインするログイン手段と
して機能させ、
前記ユーザ情報管理装置を、
前記画像形成装置から前記ユーザ識別情報を受信する第２の受信手段と、
前記第２の受信手段により受信した前記ユーザ識別情報を認証する認証手段と、
前記ユーザ識別情報に対応するユーザ情報を含む認証結果を前記画像形成装置に送信する第２の送信手段と
して機能させることを特徴とするプログラム。
【請求項１２】
ユーザ識別情報と複数のユーザ情報とを対応付けて管理することが可能なユーザ情報管理装置と通信可能に接続される画像形成装置におけるプログラムであって、
前記画像形成装置を、
当該画像形成装置へログインするために、ユーザ識別情報の入力を受け付ける入力受付手段と、
前記入力受付手段で受け付けたユーザ識別情報を前記ユーザ情報管理装置に送信する第１の送信手段と、
前記第１の送信手段によって送信したユーザ識別情報に対応するユーザ情報を含む認証結果を前記ユーザ情報管理装置から受信する第１の受信手段と、
前記第１の受信手段で受信した認証結果により、前記ユーザ識別情報に対応する前記ユーザ情報が１つの場合には、当該ユーザ情報を用いてログインし、一方、前記ユーザ識別情報に対応する前記ユーザ情報が複数ある場合には、該複数のユーザ情報を表示することで操作者により選択された１つのユーザ情報を用いてログインするログイン手段と
して機能させることを特徴とするプログラム。
【手続補正２】
【補正対象書類名】明細書
【補正対象項目名】００１４
【補正方法】変更
【補正の内容】
【００１４】
そこで、本発明の目的は、ユーザの操作に従って入力されたユーザ識別情報を用いた認証で得られた複数のユーザ情報から、ログインするユーザ情報を選択させることで、画像形成装置の利用を容易に行わせる仕組みを提供することである。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】変更
【補正の内容】
【００１６】
本発明の目的を達成するために、ユーザ識別情報と複数のユーザ情報とを対応付けて管理することが可能なユーザ情報管理装置と画像形成装置と通信可能に接続される認証システムであって、前記画像形成装置は、当該画像形成装置へログインするために、ユーザ識別情報の入力を受け付ける入力受付手段と、前記入力受付手段で受け付けたユーザ識別情報を前記ユーザ情報管理装置に送信する第１の送信手段と、前記第１の送信手段によって送信したユーザ識別情報に対応するユーザ情報を含む認証結果を前記ユーザ情報管理装置から受信する第１の受信手段と、前記第１の受信手段で受信した認証結果により、前記ユーザ識別情報に対応する前記ユーザ情報が１つの場合には、当該ユーザ情報を用いてログインし、一方、前記ユーザ識別情報に対応する前記ユーザ情報が複数ある場合には、該複数のユーザ情報を表示することで操作者により選択された１つのユーザ情報を用いてログインするログイン手段とを備え、前記ユーザ情報管理装置は、前記画像形成装置から前記ユーザ識別情報を受信する第２の受信手段と、前記第２の受信手段により受信した前記ユーザ識別情報を認証する認証手段と、前記ユーザ識別情報に対応するユーザ情報を含む認証結果を前記画像形成装置に送信する第２の送信手段とを備えることを特徴とする。
【手続補正５】
【補正対象書類名】明細書
【補正対象項目名】００１７
【補正方法】変更
【補正の内容】
【００１７】
また、前記画像形成装置は、前記複数のユーザ情報からログインするユーザ情報を選択可能に表示する表示手段を更に備えることを特徴とする。
【手続補正６】
【補正対象書類名】明細書
【補正対象項目名】００１８
【補正方法】変更
【補正の内容】
【００１８】
また、前記画像形成装置は、前記ユーザ情報が複数あるか否かを判定する判定手段を更に備え、前記表示手段は、前記判定手段でユーザ情報が複数あると判定された場合には、前記複数のユーザ情報を選択可能に表示し、前記ログイン手段は、前記表示手段で表示した複数のユーザ情報から選択されたユーザ情報を用いてログインすることを特徴とする。
【手続補正７】
【補正対象書類名】明細書
【補正対象項目名】００１９
【補正方法】変更
【補正の内容】
【００１９】
また、ログインしたユーザ情報の変更指示がされたか否かを判定する変更判定手段を備え、前記表示手段は、前記変更判定手段で変更指示がされたと判定された場合に、前記複数のユーザ情報を再度選択可能に表示することを特徴とする。
【手続補正８】
【補正対象書類名】明細書
【補正対象項目名】００２０
【補正方法】変更
【補正の内容】
【００２０】
また、前記ユーザ情報は、ユーザ名又はメールアドレス又は費用コードであることを特徴とする。
【手続補正９】
【補正対象書類名】明細書
【補正対象項目名】００２１
【補正方法】変更
【補正の内容】
【００２１】
また、前記画像形成装置は、記憶媒体を読み取る読取手段を更に備え、前記第１の送信手段は、読取手段によって読取られた記憶媒体の情報を送信し、前記第１の受信手段は、前記記憶媒体の情報に対応するユーザ情報を含む認証結果を受信し、前記ログイン手段は、前記記憶媒体による認証が成功した場合には、前記認証結果に含まれるユーザ情報を用いてログインし、ユーザ情報管理装置は、前記第２の受信手段は、前記記憶媒体の情報を受信し、前記認証手段は、前記記憶媒体の情報を用いて認証し、前記第２の送信手段は、前記記憶媒体の情報に対応するユーザ情報を含む認証結果を送信することを特徴とする。
【手続補正１０】
【補正対象書類名】明細書
【補正対象項目名】００２２
【補正方法】変更
【補正の内容】
【００２２】
また、前記ユーザ情報管理装置と前記画像形成装置は別筐体で構成されることを特徴とする。
【手続補正１１】
【補正対象書類名】明細書
【補正対象項目名】００２３
【補正方法】変更
【補正の内容】
【００２３】
ユーザの操作に従って入力されたユーザ識別情報を用いた認証で得られた複数のユーザ情報から、ログインするユーザ情報を選択させることで、画像形成装置の利用を容易に行わせることができる。
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】